(57)【要約】光検出器及び導光層を有する装置に係る。該光検出器は、光を検出し、それに応じて検出情報を生成する。該導光層は、外側を有し、該外側に達して入力装置から光検出器手段に向かって発生する入射光を案内する。該装置は、入射光と導光層に対して垂直である軸との間の１つ又はそれ以上の角度を考慮に入れるよう、検出情報を更なる情報へと変換する変換器を備えられる。結果として、入射位置の一次元／二次元修正がなされ得、ユーザ位置の方向の一次元／二次元推定がなされ得、回転、ズーミング、スクローリング、音量、コントラスト、輝度、又は音声最適化パラメータ等の装置パラメータを適合させるよう、あるいは、自身の入力装置を操作する複数のユーザから一ユーザを選択するようにされる。装置は、導光層を有するディスプレイを更に有し得る。該層は、内側に達して、ディスプレイから外側に発生する光を案内するよう内側を有する。
2007506181.tif 000002
【特許請求の範囲】
【請求項１】
装置であって：
光を検出し、それに応じて検出情報を生成する光検出器手段と；
外側を有し、前記外側に達して入力装置から前記光検出器手段に向かって発生する入射光を案内する導光層と；
前記入射光と前記導光層に対する所定の方向との間の角度を考慮に入れるよう、前記検出情報を更なる情報へと変換する変換器と、
を有する、装置。
【請求項２】
前記光検出器手段は、第１の検出信号ｘ１を生成するよう前記導光層の第１の側部で第１の検出器を、第２の検出信号ｘ２を生成するよう前記導光層の第２の側部で第２の検出器を有し、
前記第１及び第２の側部は、前記層の対向する側部である、
請求項１記載の装置。
【請求項３】
前記光検出器は、第３の検出信号ｙを生成するよう前記導光層の第３の側部で第３の検出器を更に有する、
請求項２記載の装置。
【請求項４】
前記更なる情報は、入射の位置の座標ｘ，ｙのうち少なくとも１つを有し、
ｘはｘ１，ｘ２及びｙの関数である、
請求項３記載の装置。
【請求項５】
前記更なる情報は、直線的にαに依存する入射角を有し、
ｔａｎαは、ｘ１，ｘ２及びｙの関数である、
請求項３記載の装置。
【請求項６】
前記光検出器は、第３の検出信号ｙ１を生成するよう前記導光層の第３の側部で第３の検出器、及び、第４の検出信号ｙ２を生成するよう前記導光層の第４の側部で第４の検出器を有し、
前記第３及び第４の側部は、対向する側部である、
請求項２記載の装置。
【請求項７】
前記更なる情報は、入射の位置の座標ｘ，ｙのうち少なくとも１つを有し、
ｘ及びｙは、ｘ１，ｘ２，ｙ１及びｙ２の関数である、
請求項６記載の装置。
【請求項８】
前記更なる情報は、入射の第１の角度と入射の第２の角度のうち少なくとも１つを有し、
前記入射の第１の角度は直線的にαに依存し、前記入射の第２の角度は直線的にβに依存し、
ｔａｎα及びｔａｎβは、ｘ１，ｘ２，ｙ１及びｙ２の関数である、
請求項６記載の装置。
【請求項９】
ディスプレイモニタを更に有し、
前記導光層は、内側を有し、前記内側に達して前記ディスプレイモニタから前記外側に発生する光を案内する、
請求項１記載の装置。
【請求項１０】
前記更なる情報に応じて、装置のパラメータを適合させるようアダプタを更に有する、
請求項１記載の装置。
【請求項１１】
前記装置のパラメータは、ディスプレイモニタ上に表示される３Ｄオブジェクトの回転を定義付ける回転パラメータと；ズーミング・パラメータと；スクローリング・パラメータと；音量パラメータと；画像コントラスト・パラメータと；画像輝度パラメータと：音声最適化パラメータと、のうち少なくとも１つを有する、
請求項１０記載の装置。
【請求項１２】
前記更なる情報に応じて、各々が自身の入力装置を操作している複数のユーザから一ユーザを選択するセレクタを更に有する、
請求項１記載の装置。
【請求項１３】
ディスプレイモニタであって、
光を検出し、それに応じて検出情報を生成する光検出器手段と；
外側及び内側を有し、前記外側に達して入力装置から前記光検出手段に発生する入射光を案内し、前記内側に達して前記ディスプレイモニタから前記外側に発生する光を案内する導光層と；
前記入射光と前記導光層に対して略垂直である軸との間の角度を考慮に入れるよう前記検出情報を更なる情報へ変換する変換器と、
を有する、ディスプレイモニタ。
【請求項１４】
エクステンションであって、
光を検出し、それに応じて検出情報を生成する光検出器手段と；
外側を有し、前記外側に達して入力装置から前記光検出器手段に向かって発生する入射光を案内する導光層と；
前記入射光と前記導光層に対する所定の方向との間の角度を考慮に入れるよう前記検出情報を更なる情報へと変換する変換器と、
を有する、エクステンション。
【請求項１５】
光を検出し、それに応じて検出情報を生成する光検出器手段と、外側を有し前記外側に達して入力装置から前記光検出器手段に向かって発生する入射光を案内する導光層とを有する使用に対する方法であって、
前記入射光と前記導光層に対する所定の方向との間の角度を考慮に入れるよう前記検出情報を更なる情報へと変換する変換器を有する、
方法。
【請求項１６】
データ処理システム上での使用に対するプロセッサプログラムであって、
前記システムは、光を検出してそれに応じて検出情報を生成する光検出器手段と、外側を有し前記外側に達して入力装置から前記光検出器手段に向かって発生する入射光を案内する導光層とを有し、
前記プロセッサプログラムは、前記入射光と前記導光層に対する所定の方向との間の角度を考慮に入れるよう前記検出情報を更なる情報へと変換する変換器手段を有する、
プロセッサプログラム。
【発明の詳細な説明】
【技術分野】
【０００１】
本発明は、装置に係り、また、ディスプレイ、エクステンション、方法、及びプロセッサプログラムプロダクトに係る。
【０００２】
かかる装置の例は、テレビジョン受像機一式、ディスプレイモニタ、ＰＣ及びラップトップ型コンピュータ、及び他の消費者装置である。かかるディスプレイモニタの一例は、電子インクディスプレイ、プラズマディスプレイ、液晶ディスプレイ、又は発光ダイオードディスプレイである。
【背景技術】
【０００３】
欧州特許第０  ５７２  １８２  Ｂ１号明細書（特許文献１）は、一体光学入力器具を有するディスプレイユニットを開示する。該ディスプレイは、パネルの基板のうちの１つ上に配置されたＸ軸及びＹ軸においてコンダクタを有する液晶ディスプレイパネルを有する。これらのコンダクタは、基板の面に対して平行である光を案内する導光板である。光学信号を感知する受光要素は、各導光板の端部において配置される。
【０００４】
光学ペンから発された光が基板と接触する際、発された光の接触部分のＸ及びＹ座標は、フォトセンサ等の形状における受光要素によって確定される。特許文献１中の装置有する問題は、導光板がパネルの基板内に形成されることである。これによって、基板において導光板を形成するよう使用される工程が相当複雑であるため、ディスプレイユニットの製造は困難且つ高額となる。更には、導光板が基板において形成されるという事実は、導光板が製造時に基板において実際には形成されなければならず、製造後にディスプレイユニットに追加され得ないため、ディスプレイユニットの製造における柔軟性に対して不利となる。
【０００５】
この問題を解決するよう、２００３年９月２２日出願、未公開（ｎｏｎ−ｐｒｅ−ｅｓｔａｂｌｉｓｈｅｄ）欧州特許第０３１０３４９２．９号明細書（代理人整理番号ＮＬ０３１１０５）の「COORDINATE  DETECTION  SYSTEM  FOR  A  DISPLAY  DEVICE」は、導光層においてディスプレイ装置の外から僅かな入射光を閉じ込めるよう配置された光学構造を有する導光層を用いることを開示する。入射光は、ディスプレイと相互に作用するようユーザが操作可能である遠隔入力装置によって生成される。閉じ込められた光は、閉じ込められた光を検出し、閉じ込められた光の検出を入力位置に関連付けるよう光検出手段に向かって層を介して送られる。このディスプレイ装置は、ディスプレイ装置のスクリーン上で入力位置を検出し、且つ製造が容易であり、ディスプレイの画質は、例えあっても僅かにのみ影響を与えられる。本願中、「入力位置」という表現は、ユーザ相互作用が行われるところ、例えば光学ペンによって発される光がスクリーンに入るところであるスクリーン座標を意味するよう理解されるべきである。
【特許文献１】欧州特許第０  ５７２  １８２  Ｂ１号明細書
【発明の開示】
【発明が解決しようとする課題】
【０００６】
本発明は、とりわけ、比較的向上された装置を与えることを目的とする。更には、本発明はとりわけ、比較的向上されたディスプレイ、エクステンション、方法及びプロセッサプログラムプロダクトを与えることを、更なる目的とする。
【課題を解決するための手段】
【０００７】
本発明に従った装置は、光を検出し、それに応じて検出情報を生成する光検出器手段と、外側を有し、該外側に達して入力装置から光検出器手段に向かって発生する入射光を案内する導光層と、入射光と例えば導光層に対して略垂直である軸である導光層に対する所定の方向との間の角度を考慮に入れるよう、検出情報を更なる情報へと変換する変換器と、を有する。
【０００８】
上述された未公開欧州特許第０３１０３４９２．９号明細書におけるシステムと比較すると、変換器が追加されている。この変換器は、例えば、プロセッサシステムの一部分の形成し、例えばハードウェア又はソフトウェア要素の形状をとるか、又は、両方の混合である。導光層は、入射光を、導光層の内側の内部反射を介して光検出器へ案内する。入射光は、垂直に又はゼロとは同等ではない傾斜角でのいずれか一方で導光層に衝突し得る。導光層内部の案内が、内部反射に基づくため、入射の異なる角度で導光層に衝突する入射光は、光検出器手段によって生成される異なる検出情報をもたらす。変換器は、第１（第２）の検出情報を、入射光と導光層に対する所定の方向との間の第１（第２）の角度、例えば導光層に対して垂直である軸を考慮に入れるよう、第１（第２）の更なる情報へと変換しする。結果として、本発明に従った装置は、比較的向上される。
【０００９】
本発明に従った装置の一実施例は、光検出器手段によって定義付けられる。該光検出器手段は、第１の検出信号ｘ１を生成するよう導光層の第１の側部で第１の検出器、及び第２の検出信号ｘ２を生成するよう導光層の第２の側部で第２の検出器を有し、第１及び第２の側部は対向する側部を形成する。導光層が垂直位にある場合、第１の検出器は、導光層の下方水平側部で導光層を介して達する第１の光を検出し、第２の検出器は、導光層の上方水平側部で導光層を介して達する第２の光を検出する。それに加えて、第１及び第２の検出器は、各々が２つ又はそれ以上のサブ検出器を有し得る。第１の検出器は、第１の検出信号ｘ１を生成し、第２の検出器は、第２の検出信号ｘ２を生成し、第１の検出信号ｘ１及び第２の検出信号ｘ２は、例えば、導光層の左側の垂直側部等への距離に相当する。水平の平面を介して達する入射光の場合、該水平面は、導光層に対して垂直であり、導光層に対して垂直に達さない該入射光を有し、第１の検出信号ｘ１及び第２の検出信号ｘ２は、一般的に互いに対して異なる。
【００１０】
本発明に従った装置の一実施例は、光検出器によって定義付けられる。該光検出器は、第３の検出信号ｙを生成するよう導光層の第３の側部で第３の検出器を更に有する。導光層が垂直位にある場合、第３の検出器は、導光層の左側又は右側の垂直側部で導光層を介して達する第３の光を検出する。それに加えて、第３の検出器は、２つ又はそれ以上のサブ検出器を有し得る。第３の検出器は、第３の信号ｙを生成し、第３の検出信号ｙは、例えば、導光層の上方水平側部等への距離に相当する。
【００１１】
本発明に従った装置の一実施例は、入射位置ｘ，ｙを有する更なる情報によって定義付けられる。ｘは、ｘ１，ｘ２及びｙの関数である。この関数は、例えば、ｘ＝［ｙｘ１＋（ｙ−Ｈ）ｘ２］／（２ｙ−Ｈ）を定義付ける。式中、Ｈは導光層の高さと同等である。従って、ｘ１，ｘ２及びｙは測定され、続いてｘが算出され得る。この実施例によって、入射の位置の一次元修正を可能とし、該修正は、入射光と導光層に対して垂直である軸との間に角度があるという事実により、必要とされ得る。他の式は、本発明の範囲を逸脱することなく書かれ得る。
【００１２】
本発明に従った装置の一実施例は、入射角を有する更なる情報によって定義付けられる。入射角は、αに直線的に依存し、ｔａｎαがｘ１，ｘ２及びｙの関数である。この関数は、例えば、ｔａｎα＝（ｘ２−ｘ１）／（２ｙ−Ｈ）を定義付け、式中、Ｈは導光層の高さと同等である。従って、ｘ１，ｘ２及びｙは測定され、続いてαが算出され得る。この実施例によって、ユーザ位置の方向の一次元の推定が可能となり、該方向は、入射角と導光層に対して垂直である軸との間に角度があるという事実によってもたらされる。他の式は、本発明の範囲を逸脱することなく書かれ得る。
【００１３】
本発明に従った装置の一実施例は、光検出器によって定義付けられる。該光検出器は、第３の検出信号ｙ１を生成するよう導光層の第３の側部で第３の検出器、及び第４の検出信号ｙ２を生成するよう導光層の第４の側部で第４の検出器を有し、第３及び第４の側部は対向する側部である。導光層が垂直位にある場合、第３の検出器は、導光層の左側の垂直側部で導光層を介して達する第３の光を検出し、第４の検出器は、導光層の右側の垂直側部で導光層を介して達する第４の光を検出する。それに加えて、第３及び第４の検出器は、各々が２つ又はそれ以上のサブ検出器を有し得る。第３の検出器は、第３の検出信号ｙ１を生成し、第４の検出器は、第４の検出信号ｙ２を生成し、第３の検出信号ｙ１及び第４の検出信号ｙ２は、例えば、導光層の上方水平側部等への距離に相当する。垂直の平面を介して達する入射光の場合、該垂直平面は、導光層に対して垂直であり、導光層に対して垂直に達さない該入射光を有し、第３の検出信号ｙ１及び第４の検出信号ｙ２は、一般的に互いに対して異なる。
【００１４】
本発明に従った装置の一実施例は、入射の位置ｘ，ｙを有する更なる上方によってて意義付けられ、ｘ及びｙは、ｘ１，ｘ２，ｙ１及びｙ２の関数である。これらの関数は、例えば、ｘ＝［ｙｘ１＋（ｙ−Ｈ）ｘ２］／（２ｙ−Ｈ）、及び、ｙ＝［（ｘ−Ｂ）ｙ１＋ｘｙ２］／（２ｘ−Ｂ）を定義付け、式中、Ｈは導光層の高さと同等であり、Ｂは導光層の幅と同等である。従って、ｘ１，ｘ２，ｙ１及びｙ２は測定され、ｘ及びｙが続いて算出され得る。ｘはｙに、ｙはｘに依存するため、追加的な情報は、両方の式を解くよう必要である。この追加的な情報は、例えば、ｘ及びｙが導光層の寸法内であるべきであるという事実等の所定の制限及び／又は履歴情報から導き出され得る。この実施例によって、入射位置の二次元的修正が可能となり、該修正は、入射光と導光層に対して垂直である軸との間に角度があるという事実のため、必要となり得る。他の式は、本発明の範囲から逸脱することなく使用され得る。
【００１５】
本発明に従った装置の一実施例は、第１及び第２の入射角を有する更なる情報によって定義付けられ、第１の入射角は、αに直線的に依存し、第２の入射角はβに直線的に依存し、ｔａｎα及びｔａｎβは、ｘ１，ｘ２，ｙ１及びｙ２の関数である。これらの関数は、例えば、ｔａｎα＝（ｘ２−ｘ１）／（２ｙ−Ｈ）、及び、ｔａｎβ＝（ｙ２−ｙ１）／（２ｘ−Ｂ）を特定し、式中、Ｈは導光層の高さと同等であり、Ｂは導光層の幅と同等である。従って、ｘ１，ｘ２，ｙ１及びｙ２は測定され、続いてα及びβが算出され得る。αもまたｙに依存し、ベータもまたｘに依存するため、追加的な情報は、両方の式を解くよ必要である。この追加的な情報は、例えば、α及びベータの大きさが一定の制限内にあるべきであるという事実等の所定の制限及び／又は履歴情報から導き出され得る。この実施例によって、ユーザ位置の方向の二次元的制限が可能となる。該方向は、入射光と導光層に対して垂直である軸との間に角度があるという事実からもたらされる。他の式は、本発明の範囲から逸脱することなく使用され得る。
【００１６】
本発明に従った装置の一実施例は、更に、ディスプレイ、及び、内側に達し且つディスプレイから発生する光を外側へと案内するよう内側を有する導光層を有することによって定義付けられる。該ディスプレイは、画像（の一部分）と相互作用を有する遠隔入力装置を操作するユーザに画像を与える。
【００１７】
本発明に従った一実施例は、更なる情報に応じて装置パラメータを適合させるようアダプタを更に有することによって定義付けられる。このアダプタによって、入射光と導光層に対して垂直である軸との間の角度に依存して音声及び／又は映像パラメータの（自動）調整が可能となる。
【００１８】
本発明に従った装置の一実施例は、装置パラメタによって定義付けられる。該パラメータは、ディスプレイ上に表示される３Ｄオブジェクトの回転を定義付ける回転パラメータ、又はズーミング・パラメータ、又はスクローリング・パラメータ、又は音量パラメータ、又はコントラスト・パラメータ、又は輝度パラメータ、又は音声最適化パラメータを有する。これらの音声及び／又は映像パラメータは、望ましくは自動的に調整されるべきである。
【００１９】
本発明に従った装置の一実施例は、更なる情報に応じて、各々が自身の入力装置を操作している複数のユーザから一ユーザを選択するセレクタを更に有することによって定義付けられる。このセレクタによって、入射光と導光層に対して垂直である軸との間の角度に依存してユーザを（自動的に）選択することが可能となり、例えばディスプレイ装置を介して行われるゲームを制御するよう、又は例えばユーザ設定を個別化するようにされる。
【００２０】
本発明に従ったディスプレイ、及び本発明に従ったのエクステンション、及び本発明に従った方法、及び本発明に従ったプロセッサプログラムプロダクトの実施例は、本発明に従った装置の実施例と一致する。本発明におけるプロセッサプログラムプロダクトに関しては、このプログラムプロダクトは、ホームネットワーク又はＰＣ又は双方向ＴＶ等のデータ処理システム上で使用される。該システムは、光を検出し、それに応じて検出情報を生成する光検出器手段、及び、外側に達して且つ入力装置から光検出器手段に向かって発生する入射光を案内するよう外側を有する導光層を有する。プロセッサプログラムプロダクトは、入射光と、導光層に対して略垂直である軸等の導光層に対して所定の方向との間の角度を考慮に入れるよう、検出情報を更なる情報へと変換する変換器を有する。明確にするために、「プロセッサプログラムプロダクト」という表現は、例えば物理的な担体上で制御ソフトウェアを対象とするよう意図されるか、あるいは、示された機能性を実行するようデータプロセッサ上で動かされるデータネットワークを介して使用可能にされる。かかるプロダクトは、上述された装置の製造者によって与えられるアフターマーケット追加物であり得る。
【００２１】
本発明は、とりわけ、導光層内の案内が内部反射に基づくという見識に基づき、異なる入射角で導光層に衝突する入射光は、異なる検出情報を生成する光検出器をもたらす。また、本発明はとりわけ、変換器が、入射光と導光層に対して垂直である軸との間の第１（第２）の角度を考慮に入れるよう第１（第２）の検出情報を第１（第２）の更なる情報へと変換するべきであるという基本的な考えに基づく。
【００２２】
本発明は、とりわけ、比較的向上された装置、及び、とりわけ、入射位置の一／二次元的な修正及び／又はユーザ位置の方向の一／二次元的な推定において有利である装置を与えるよう問題を解決する。
【発明を実施するための最良の形態】
【００２３】
本発明のこれらの及び他の面は、以下に説明される実施例を参照して明らかに且つ説明される。
【００２４】
本発明は、添付の図面を参照して更に説明される。
【００２５】
図１中に図示された本発明に従った装置１は、ディスプレイ・ドライバ３に結合されたディスプレイ２を有する。ディスプレイ・ドライバ３は、プロセッサシステム４に結合される。該プロセッサシステムは、例えば、表示されるべき信号を受ける入力インタフェース（図示せず）、及び／又は、表示されるべき信号を生成／操作するマン・マシン・インタフェース又はＭＭＩ（図示せず）、及び／又は、表示されるべき信号を格納する角のインタフェース（図示せず）等を有する。装置１は、光検出器１１−１４を有するディスプレイ・エクステンション１１−１６を更に有する。光検出器１１−１４の光を受ける側は、導光層１５に結合されるか、その近くに位置付けられる。光検出器１１−１４の電気信号を生成する側部は、変換器１６に結合される。光検出器１１−１４は、導光層１５の下方水平側部で第１の検出器１１を、導光層１５の上方水平側部で第２の検出器１２を、導光層１５の左側の垂直側部で第３の検出器１３を、及び導光層１５の右側の垂直側部で第４の検出器１４を有する。変換器１６は、プロセッサシステム４、アダプタ１５、及びセレクタ１８に対して更に結合される。アダプタ１７及びセレクタ１８は、プロセッサシステム４に更に結合される。ディスプレイ・エクステンション１１−１６は、「本発明に従ったディスプレイ２」の一部分を形成し得るか、あるいは、「従来技術のディスプレイ２」と共に「本発明に従った装置１」の一部分を形成し得る。
【００２６】
導光層１５は、未公開欧州特許第０３１０３４９２．９号明細書（代理人整理番号ＮＬ０３１１０５）においてより詳細に説明される。一般的には、導光層１５は、外側及び内側を有し、外側に達し且つ入力装置から光検出器１１−１４に向かって発生する入射光を案内し、また、内側に達し且つディスプレイ２から外側へと発生する光を案内し、ユーザがディスプレイ２上で画像を見ることができるようにする。
【００２７】
図２中の垂直な導光層１５は、水平平面を介して入射する光２１を受ける。入射光２１は、単一の角度を介して導光層の法線から逸れる。結果として、夫々の検出器１１，１２及び１３は、夫々の検出信号ｘ，ｘ，及びｙの代わりに、夫々の検出信号ｘ１，ｘ２及びｙを生成する。第１の検出信号ｘ１及び第２の検出信号ｘ２は、例えば、導光層１５の左側の垂直側部への距離等を示す。導光層１４に対して垂直である水平平面を介して達する入射光の場合、また、導光層１５に対して垂直には達さない入射光２１を有して、第１の検出信号ｘ１及び第２の検出信号ｘ２は、一般的に互いに対して異なる。第３の検出信号ｙは、例えば、導光層１５の上方の水平側部等への距離を示す。
【００２８】
図１中の変換器１６は、この検出情報ｘ１，ｘ２及びｙを受け、入射光２１と導光層１５に対して垂直である軸との間の角度を考慮に入れるよう該検出情報を更なる情報へと変換する。この更なる情報は、例えば、入射位置の座標ｘ及びｙを有し得、ｘは、ｘ１，ｘ２及びｙに依存する。この依存は、例えばｘ＝［ｙｘ１＋（ｙ−Ｈ）ｘ２］／（２ｙ−Ｈ）としてｘを特定し、式中、Ｈは導光層１５の高さと同等である。従って、ｘ１，ｘ２及びｙは測定され、続いてｘが算出され得る。この実施例によって、入射位置の一次元修正が可能となる。この修正は、入射光２１と導光層１５に対して垂直である軸との間に角度があるという事実により必要となり得る。他の依存は、本発明の範囲を逸脱することなく使用され得る。この向上した精度を有する入射位置は、続いて、変換器１６からプロセッサシステム４等に供給される。
【００２９】
更なる情報は、あるいは、入射角を有し得る。この入射角は、角度αに直線的に依存し、ｔａｎαは、ｘ１，ｘ２及びｙの関数である。例えば、この関数は、ｔａｎα＝（ｘ２−ｘ１）／（２ｙ−Ｈ）を定義付け、式中、Ｈは導光層の高さと同等である。従って、ｘ１，ｘ２及びｙは測定され、続いてαが算出され得る。この実施例は、ユーザ位置の方向の一次元推定を可能にする。方向は、入射光２１と導光層１５に対して垂直である軸との間に角度があるという事実に由来する。他の関数は、本発明の範囲を逸脱することなく使用され得る。この入射角は続いて、以下に更に説明される通り、変換器１６からアダプタ１７及び／又はセレクタ１８へ供給される。
【００３０】
図３中の垂直な導光層１５は、非水平平面を介して入射光２１を受ける。入射光２１は、第１及び第２の角度を介して導光層の法線から逸れる。第１の角度は、水平平面において置かれ、第２の角度は、この水平平面と非水平平面との間の角度によって形成される。結果として夫々の光検出器１１，１２，１３，１４は、夫々の検出信号ｘ，ｘ，ｙ及びｙの代わりに、夫々の検出信号ｘ１，ｘ２，ｙ１及びｙ２を生成する。第３の検出信号ｙ１及び第４の検出信号ｙ２は、例えば、導光層１５の上方水平側部への距離を示す。導光層１５に対して垂直である垂直平面を介して達する入射光２１の場合、及び導光層１５に対して垂直には達さない入射光２１を有して、第３の検出信号ｙ１及び第４の検出信号ｙ２は、一般的には互いに対して異なる。
【００３１】
図１中の変換器１６は、この検出情報ｘ１，ｘ２，ｙ１及びｙ２を受け、入射光２１と導光層１５に対して垂直である軸との間の角度を考慮にいれるよう検出情報を更なる情報へと変換する。この更なる情報は、例えば、入射位置の座標ｘ及びｙを有し得、ｘ及びｙはｘ１，ｘ２，ｙ１及びｙ２の関数である。これらの関数は、例えば、ｘ＝［ｙｘ１＋（ｙ−Ｈ）ｘ２］／（２ｙ−Ｈ）、及び、ｙ＝［（ｘ−Ｂ）ｙ１＋ｘｙ２］／（２ｘ−Ｂ）であり、式中、Ｈは導光層の高さと同等であり、Ｂは導光層の幅と同等である。従って、ｘ１，ｘ２，ｙ１及びｙ２は測定され、ｘ及びｙは続いて算出され得る。ｘもまたｙに依存し、ｙもまたｘに依存するため、追加的な情報は、両方の式を解くよう必要である。この追加的な情報は、例えば、ｘ及びｙが導光層の寸法内であるべきであるという事実等の所定の制限及び／又は履歴情報から導き出され得る。この実施例によって、入射位置の二次元的修正が可能となる。該修正は、入射光と導光層に対して垂直である軸との間に角度があるという事実のため、必要となり得る。他の式は、本発明の範囲から逸脱することなく使用され得る。この入射位置は、向上された精度を有し、続いて変換器１６からプロセッサシステム４等へと供給される。
【００３２】
更なる情報はあるいは、第１及び第２の入射角を有し得る。第１の入射角は、角度αに直線的に依存し、第２の入射角はβに直線的に依存し、ｔａｎα及びｔａｎβは、ｘ１，ｘ２，ｙ１及びｙ２の関数である。これらの関数は、例えば、ｔａｎα＝（ｘ２−ｘ１）／（２ｙ−Ｈ）、及び、ｔａｎβ＝（ｙ２−ｙ１）／（２ｘ−Ｂ）であり、式中、Ｈは導光層の高さと同等であり、Ｂは導光層の幅と同等である。従って、ｘ１，ｘ２，ｙ１及びｙ２は測定され、続いてα及びβが算出され得る。αもまたｙに依存し、ベータもまたｘに依存するため、追加的な情報は、両方の式を解くよう必要である。この追加的な情報は、例えば、α及びベータの大きさが一定の制限内にあるべきであるという事実等の所定の制限及び／又は履歴情報から導き出され得る。この実施例によって、ユーザ位置の方向の二次元的制限が可能となる。該方向は、入射光と導光層に対して垂直である軸との間に角度があるという事実からもたらされる。他の式は、本発明の範囲から逸脱することなく使用され得る。これらの入射角は続いて、以下に更に説明される通り変換器１６からアダプタ１７及び／又はセレクタ１８へ供給される。
【００３３】
アダプタ１７は、１つ又はそれ以上の入射角を有する更なる情報に応じて装置パラメータを適合させる。これによって、入射光２１と導光層１５に対して垂直である軸との間の角度に依存して音声及び／又は映像パラメータの（自動）調整が可能となる。かかる装置パラメータは、ディスプレイ上に表示される３Ｄオブジェクトの回転を定義付ける回転パラメータ又はズーミング・パラメータ、スクローリング・パラメータ、音量パラメータ、コントラスト・パラメータ、輝度パラメータ、又は音声最適化パラメータ等を有し得る。従って、ディスプレイを見て、１つ又はそれ以上の入射角で入力装置を操作するユーザは、自身の方向において回転された３Ｄオブジェクトを自動的に得、及び／又は、略ズーミング（ｍｏｒｅ  ｏｒ  ｌｅｓｓ  ｚｏｏｍｉｎｇ）、略スクリーンローリング、略音量、略コントラスト、略輝度、及び／又は適合された音声等を自動的に得る。
【００３４】
１つ又はそれ以上の入射角を有する更なる情報に応じて、セレクタ１８は、自身の入力装置を各々操作する複数のユーザから一ユーザを選択する。これによって、入射光２１と導光層１５に対して垂直である軸との間の角度に依存するユーザの（自動）選択が可能となり、例えば、装置１を介して行われるゲームを制御するよう、あるいは、ユーザ設定を個別化するようにされる。
【００３５】
あるいは、変換器１６は、例えば、ハードウェア又はソフトウェア、あるいはその両方の混合の形状でプロセッサシステム４の一部分を形成し得る。アダプタ１７及び／又はセレクタ１８は、例えばハードウェア又はソフトウェア、あるいはその両方の混合の形状でプロセッサシステム４の一部分を形成し得る。また、アダプタ１７及び／又はセレクタ１８は、例えばハードウェア又はソフトウェア、あるいはその両方の混合の形状で変換器１６の一部分を形成し得る。
【００３６】
図４中の本発明の装置１、及び断面図で図示される導光層１４は、入射光２１を生成する入力装置２０を更に有する。第１の検出器１１及び第３の検出器１３は、変換器１６に結合される。
【００３７】
入射角の関数としての角度シフトα，βは、図５中に図示される。明確には、直線的な関係が存在する。
【００３８】
ディスプレイを有する又はディスプレイを有さない、例えば、個別に制御され得る音声チューナ、音声増幅器、音声／映像プレーヤ／レコーダ、及び音声スピーカ等である他の（遠隔に制御される）装置は、除外されるべきではない。
【００３９】
上述された実施例は、本発明を制限するものではなく、例証するものであること、及び、当業者は、添付の請求項の範囲を逸脱することなく多くの他の実施例を設計することができること、が留意されるべきである。請求項中、カッコ内に置かれたいかなる参照符号も、請求項を制限するものとして解釈されるべきではない。「有する」という動詞及びその活用形は、請求項中に記載されない他の要素又は段階の存在を除外するものではない。単数を示す要素は、かかる要素の複数の存在を除外しない。本発明は、複数の異なる要素を有するハードウェアを用いて、また、適切にプログラムされたコンピュータを用いて実行され得る。複数の手段を列挙する装置請求項においては、これらの手段のうち複数が１つ及び同一のハードウェアによって実現され得る。一定の手法が、互いに異なる従属請求項中に記載されるという単なる事実は、これらの手法の組み合わせが有利に使用され得ないことを示すものではない。
【図面の簡単な説明】
【００４０】
【図１】本発明に従ったディスプレイ又は本発明に従ったエクステンションを有する装置の図である。
【図２】単一の角度を介して導光層の法線から逸れる入射光を水平の平面を介して受ける垂直な導光層の図である。
【図３】２つの角度を介して導光層の法線から逸れる入射光を非水平の平面を介して受ける垂直な導光層の図である。
【図４】断面で図示された導光層を有する本発明における装置の図である。
【図５】入射角の関数として角度シフトを図示する。
【図１】
2007506181.tif 000003
【図２】
2007506181.tif 000004
【図３】
2007506181.tif 000005
【図４】
2007506181.tif 000006
【図５】
2007506181.tif 000007
【国際調査報告】
2007506181.tif 000008
2007506181.tif 000009
2007506181.tif 000010